(57)【特許請求の範囲】
【請求項１】
２本の電線を接続用スリーブ内で突き合わせ、該接続用スリーブの前記突き合わせ箇所の両側位置を圧縮して前記２本の電線の接続を行う本圧縮接続作業の前段階作業に用いられ、
所定長さの絶縁操作棒と、
該絶縁操作棒の先端部に取り付けられ、同じく該絶縁操作棒に設けられた把持操作部の操作によって開閉動作される２つの開閉片を有し、前記開閉片の閉動作で前記接続用スリーブの挟持・圧縮動作を行う挟持部と、を有し、
前記挟持部の少なくとも一方の開閉片には、
前記挟持・圧縮動作が行われる部分に、該開閉片の閉動作方向と略同一の方向に突出した小突起を有することを特徴とする間接活線工法用仮圧縮工具。
【請求項２】
前記挟持部の前記２つの開閉片は、
先端部が二股に形成された固定片と、
該固定片の二股に形成された部分に前記閉動作時に先端部が入り込む可動片と、を有し、
前記小突起は、前記可動片に設けられたことを特徴とする請求項１に記載の間接活線工法用仮圧縮装置。
【請求項３】
前記小突起は、
前記挟持部が前記接続用スリーブを挟持している状態における該接続用スリーブの伸長方向と略同一方向に所定間隔を開けて２個並設されたことを特徴とする請求項１又は２の何れか１項に記載の間接活線工法用仮圧縮工具。
【請求項４】
前記小突起の先端面は、略半球凸形状に形成されたことを特徴とする請求項１から３の何れか１項に記載の間接活線工法用仮圧縮工具。
【請求項５】
前記小突起は、前記開閉片に対して着脱可能に構成されたことを特徴とする請求項１から４の何れか１項に記載の間接活線工法用仮圧縮工具。
【発明の詳細な説明】
【技術分野】
【０００１】
本発明は、間接活線工法により電線と電線とを接続用スリーブを用いて接続する本圧縮作業の前段階作業に用いる間接活線工法用仮圧縮工具に関する。
【背景技術】
【０００２】
配電路において、変圧器の吊替工事等に伴い、電線と電線との接続作業が必要となる場合がある。例えば、高圧引下線は、電柱間に架設された高圧線から、変圧器へ引き込むための電線であり、変圧器を吊替えた場合に、この高圧引下線と変圧器の１次側の電線を接続する作業が必要となる。この接続作業は、通常、接続用スリーブを用い、接続用スリーブ内で電線同志を突き合わせ、この突き合わせた箇所の両側を接続用スリーブの外側から圧縮することで為される。この接続作業に用いられる圧縮装置は、例えば特許文献１に開示されている。
【０００３】
図４は、特許文献１に開示されている圧縮装置４０を用いて接続作業を行っている様子を示す概略斜視図である。電線８４ａと電線８４ｂを、接続用スリーブ８２に挿入し、圧縮装置４０により接続用スリーブ８２を圧縮し、電線８４ａ、８４ｂを相互に接続する。
【０００４】
接続用スリーブ８２の圧縮する箇所は、電線８４ａ、８４ｂ同志を突き合わせた箇所の両側の２か所であるが、変圧器側の１か所、すなわち変圧器の１次側の電線８４ａ側は停電作業時に予め圧縮されており、図４では、残る１か所、すなわち高圧引下線８４ｂ側を間接活線工法により圧縮する様子について示している。
【０００５】
圧縮装置４０は、絶縁操作棒４２の先端部に取り付けられた圧縮ペンチ４４を有する。
【０００６】
圧縮作業では、他の絶縁操作棒４２の先端部に取り付けられたフック部４６を使用する。  
【０００７】
圧縮ペンチ４４は、不動部材４８と圧縮部材５０とが軸着され、それぞれの部材の先端部に受け部５２と圧縮部５４がある。そして、圧縮部材５０に連続して伝達部材５６が設けられている。更に、この伝達部材５６に連続して牽引部材５８が設けられており、牽引部材５８の先端部に設けられたリング部材６０に、上記のフック部４６を引き掛けて矢印Ａの方向に引っ張り、圧縮部材５０を閉動作させることにより、圧縮部５４と受け部５２との間に挟まれた接続用スリーブ８２を圧縮するように構成されている。
【０００８】
上記の圧縮接続作業は、通常２名の作業者により行われる。１名の作業者は両手にそれぞれヤットコ８０を持ち、下方から電線８４ａ、８４ｂを各々左手と右手に持ったヤットコ８０で支持する。ヤットコ８０は、絶縁操作棒４２の先端部に電線を把持する挟持部８０ａが設けられたものであり、絶縁操作棒４２の下端部（基端側）付近に設けられた把持操作部（図示していない）を操作することにより、挟持部８０ａの開閉が行われ、電線８４ａ、８４ｂを把持できる構成になっている。
【０００９】
圧縮作業を行う作業者は、高圧引下線８４ｂが挿入された接続用スリーブ８２を、前述の不動部材４８の受け部５２又は圧縮部材５０の圧縮部５４の何れか一方に正しくセットされるように操作しながら、先端部にフック部４６が取り付けられた絶縁操作棒４２を矢印Ａの方向に操作して圧縮部材５０を閉動作させ、接続用スリーブ８２を圧縮させる。圧縮ペンチ４４は、牽引部材５８を矢印Ａの方向に或る程度強い力で引っ張らないと、圧縮ペンチ４４は閉動作しないように構成されている。
【先行技術文献】
【特許文献】
【００１０】
【特許文献１】特開２００８−１２５２９１号公報
【発明の開示】
【発明が解決しようとする課題】
【００１１】
上記の特許文献１の圧縮装置４０を用いての接続作業は、接続用スリーブ８２を圧縮する際、絶縁操作棒４２の先端部のフック部４６を牽引部材５８のリング部材６０に引き掛けて、下方向に引き動作することが必要であるが、この引き動作は前述のように或る程度強い力を必要とするため、電線８４ａ、８４ｂを支持している作業者への負担が大きい。
【００１２】
すなわち、圧縮装置４０は所定の大きさで重量があり、圧縮装置４０を操作する作業者及び作業中にヤットコ８０で電線８４ａ、８４ｂを支持する作業者の双方に、特別の注意や慎重さが求められ、作業は煩雑であった。一旦、電線８４ｂが接続用スリーブ８２から外れると、電線８４ｂを再度接続用スリーブ８２に入れ直す必要があり、そうなると作業は更に長時間となっていた。
【００１３】
本発明は、上記課題に鑑みて為されたものであり、その目的は、間接活線工法による接続用スリーブを用いた電線接続作業の簡易且つ迅速化を達成することのできる間接活線工法用仮圧縮工具を提供することにある。
【課題を解決するための手段】
【００１４】
上記目的を達成するため、請求項１に記載の間接活線工法用仮圧縮工具は、２本の電線を接続用スリーブ内で突き合わせ、該接続用スリーブの前記突き合わせ箇所の両側位置を圧縮して前記２本の電線の接続を行う本圧縮接続作業の前段階作業に用いられ、所定長さの絶縁操作棒と、該絶縁操作棒の先端部に取り付けられ、同じく該絶縁操作棒に設けられた把持操作部の操作によって開閉動作される２つの開閉片を有し、前記開閉片の閉動作で前記接続用スリーブの挟持・圧縮動作を行う挟持部と、を有し、前記挟持部の少なくとも一方の開閉片には、前記挟持・圧縮動作が行われる部分に、該開閉片の閉動作方向と略同一の方向に突出した小突起を有することを特徴とする。
【００１５】
この構成によれば、電線を挿入した接続用スリーブを絶縁操作棒の先端部に取り付けられた挟持部にセットし、同じく絶縁操作棒に設けられた把持操作部によって挟持部の開閉片を閉動作させると、開閉片に設けられた小突起によって接続用スリーブが挟持・圧縮される。したがって、簡単な構成で接続用スリーブを適切に仮圧縮することができ、電線の接続用スリーブからの抜け出しを防止しつつ行われる本圧縮作業における圧縮作業の簡易且つ容易化が図られ、電線接続作業の迅速化と安全化が図られる。
【００１６】
請求項２に記載の間接活線工法用仮圧縮工具は、請求項１に記載の間接活線工法用仮圧縮工具において、前記挟持部の前記２つの開閉片は、先端部が二股に形成された固定片と、該固定片の二股に形成された部分に前記閉動作時に先端部が入り込む可動片と、を有し、前記小突起は、前記可動片に設けられたことを特徴とする。したがって、可動片に小突起が設けられているので、仮圧縮する時の把持操作部による力の加減を的確に調整することができ、接続用スリーブの仮圧縮作業を簡単且つ良好に行うことができる。
【００１７】
請求項３に記載の間接活線工法用仮圧縮工具は、請求項１又は２の何れか１項に記載の間接活線工法用仮圧縮工具において、前記小突起は、前記挟持部が前記接続用スリーブを挟持している状態における該接続用スリーブの伸長方向と略同一方向に所定間隔を開けて２個並設されたことを特徴とする。したがって、電線が挿入された接続用スリーブを挟持部にセットし、基端側に設けられた把持操作部によって挟持部を閉動作させると、挟持部に設けられた２つの小突起によって接続用スリーブの２か所が同時に仮圧縮される。したがって、１回の挟持・圧縮動作で電線の突き合わせ箇所の両側が同時に仮圧縮できることから接続用スリーブを用いた接続作業のより容易化が図られる。
【００１８】
請求項４に記載の間接活線工法用仮圧縮工具は、請求項１から３の何れか１項に記載の間接活線工法用仮圧縮工具において、前記小突起の先端面は、略半球凸形状に形成されたことを特徴とする。したがって、小突起と接続用スリーブとの接触面積が小さくなることから操作者の把持力小さくてもピンポイントで圧縮できるので、効率良く適切に仮圧縮を行うことが可能である。
【００１９】
請求項５に記載の間接活線工法用仮圧縮工具は、請求項１から４の何れか１項に記載の間接活線工法用仮圧縮工具において、前記小突起は、前記開閉片に対して着脱可能に構成されたことを特徴とする。したがって、仮圧縮する対象の接続用スリーブの直径、材質等が異なる場合に、予めサイズ等の異なる小突起を複数種類準備しておくことで、最適な小突起を選択することができ、現場での対応を的確に行うことが可能である。
【発明の効果】
【００２０】
本発明の間接活線工法用仮圧縮工具によれば、把持部に設けられた小突起により、接続用スリーブを簡単な作業によって仮圧縮することができる。したがって、作業の煩雑化を伴うことなく、本圧縮作業中に電線が外れることを有効に防止することができ、接続用スリーブを用いた接続作業の簡易且つ迅速化が図られ、電線接続の作業コストの低減を図ることができる。
【図面の簡単な説明】
【００２１】
【図１】本発明の実施の形態に係る間接活線工法用仮圧縮工具の概略正面図である。
【図２】図１の挟持部の拡大概略斜視図である。図２（ａ）は、挟持部の開放状態を、図２（ｂ）は接続用スリーブを挟持・圧縮している様子を示す。
【図３】図１の間接活線工法用仮圧縮工具を用いて、接続用スリーブを仮圧縮する作業の様子を説明する説明図である。
【図４】特許文献１に開示されている圧縮装置を用いて接続作業を行っている様子を説明する概略斜視図である。
【発明を実施するための形態】
【００２２】
以下、本発明の間接活線工法用仮圧縮工具の実施の形態を、図面を参照しつつ詳述する。図１は、間接活線工法用仮圧縮工具の正面図を示す。
【００２３】
図１に示した間接活線工法用仮圧縮工具１０は、先端部に挟持部１２が取り付けられた絶縁操作棒１４と、絶縁操作棒１４の基端部近傍に設けられた把持操作部２８を有する。把持操作部２８は挟持部１２の開閉動作を操作する。以下、各構成要素について詳述する。
【００２４】
絶縁操作棒１４は、絶縁性の材料で構成された円柱状の棒状部材であり、所定の長さを有する。沿面放電や漏電を避けるために、雨切１６や鍔１８が設けられている。前述のように、先端部には挟持部１２が取り付けられており、基端部近傍には把持操作部２８が設けられている。この絶縁操作棒１４により先端部に取り付けられた挟持部１２を作業位置に位置決めし、把持操作部２８により挟持部１２の開閉操作を行う。
【００２５】
把持操作部２８は、絶縁操作棒１４の基端部近傍に設けられ、操作レバー２８ａ、支持金具２８ｂ、解除レバー２８ｃを有する。絶縁操作棒１４の基端部近傍に取り付けられた支持金具２８ｂに、操作レバー２８ａがピン２８ｄで軸支されている。操作レバー２８ａには補助絶縁操作棒２６が連結されており、操作レバー２８ａを握るように操作すると、補助絶縁操作棒２６が下方に引き動作され、その結果、後述する挟持部１２の可動片２０が閉じ動作するように構成されている。
【００２６】
操作レバー２８ａは、支持金具２８ｂに内蔵されたラチェット機構（図示していない）により挟持部１２の閉状態が維持され、解除するときは解除レバー２８ｃを下方に引き動作すると挟持部１２が開状態に戻るように構成されている。また、付勢手段であるバネ２８ｅにより操作レバー２８ａは、挟持部１２が開状態となる方向に付勢されている。
【００２７】
補助絶縁操作棒２６は、絶縁操作棒１４と同じ材質で構成され、同様に漏電、沿面放電を防止するため雨切１６等が設けられている。
【００２８】
図２は、図１に示す間接活線工法用仮圧縮工具の挟持部の拡大斜視面図である。ただし、図２（ａ）は挟持部の開放状態を、図２（ｂ）は挟持部が接続用スリーブを挟持・圧縮している様子を示す。
【００２９】
挟持部１２は、２つの開閉片、すなわち可動片２０と固定片２２とを有する。固定片２２は、硬質材料、例えば金属材料で形成されており、その基部２２ａは絶縁操作棒１４の先端部に嵌合され固定されている。基部２２ａから、絶縁操作棒１４の延在方向に対して上方向かつ外側方向に略直線状に延在する第１直線部２２ｂ−１が形成されている。この第１直線部２２ｂ−１に連続して、更に外側に角度を付されて延在する第２直線部２２ｂ−２が形成されている。そして、この第２直線部２２ｂ−２に連続し、折れ曲がりの方向を変えて内側方向に折れ曲がる第３直線部２２−３が形成されている。第２直線部２２ｂ−２と第３直線部２２ｂ−３とは所定の角度が付され、この折れ曲がり部分Ｃに接続用スリーブ８２が係止される。更に、第３直線部２２ｂ−３は二股に形成され、可動片２０の先端部２０ａが、この２つの第３直線部２２ｂ−３間に入り込む構成になっている。
【００３０】
可動片２０は、同様に硬質材料、例えば金属材料で形成され、略円弧状若しくは三日月状の形状に構成されている。この可動片２０は、固定片２２の基部２２ａの上部であって第１直線部２２ｂ−１と第２直線部２２ｂ−２の繋ぎの部分で軸着され、矢印Ｂ方向に回動可能に構成されている。可動片２０の先端部２０ａが、前述したように、固定片２２の２つの第３直線部２２ｂ−３間に入り込み、可動片２０の他端部２０ｂは、補助絶縁操作棒２６に連結されている。これにより、前述した把持操作部２８の操作により可動片２０の開閉動作が行われる。
【００３１】
小突起２４は、可動片２０の内側挟持表面に閉方向と同一の方向に突出して形成されている。図２では、２つの小突起２４が並設されている。この２つの小突起２４は、開閉片が接続用スリーブ８２を挟持したときの接続用スリーブ８２の伸長方向と略同一方向の２か所に設けられている。言い換えれば、接続用スリーブ８２の電線８４ａ、８４ｂの突き合わせ箇所の両側位置に設けられている。この構成により１回の挟持・圧縮動作で電線の突き合わせ箇所の両側が同時に仮圧縮できる。また、可動片２０に小突起２４が設けられていることから、仮圧縮する時の把持操作部２８による力の加減を的確に調整することができる。更に、突起部２４は、可動挟持部２０に設けられているので、操作者が接続用スリーブ８２を仮圧縮する程度の調整が行い易い。すなわち、電線８４ａ、８４ｂや接続用スリーブ８２のサイズ、又は接続用スリーブ８２の材質に応じて操作者が把持力を調整することにより仮圧縮の程度を適切に決めることができる。
【００３２】
更に、小突起２４は、可動片２０に着脱可能に構成されている。すなわち、２つの小突起２４は基部２５に固定されているが、基部２５は柔軟性のある部材で構成されている。したがって、仮圧縮する対象の接続用スリーブ８２の直径、材質等が異なる場合に、予めサイズ等の異なる小突起２４を複数種類準備しておくことで、最適な小突起２４を選択することができ、現場での対応を的確に行うことが可能である。
【００３３】
接続用スリーブ８２は、固定挟持部２２の第２直線部２２ｂ−２と第３直線部２２ｂ−３との折れ曲がり部分Ｃに係止され、可動挟持部２０の内側に設けられた小突起２４により仮圧縮される。このとき、小突起２４の先端面は略半球凸形状に形成されているので、接続用スリーブ８２はピンポイントで効果的に圧縮される。接続用スリーブ８２が仮圧縮されることで、挿入された電線８４ａ、８４ｂは本圧縮作業中に接続用スリーブ８２から抜け出ることが防止される。
【００３４】
ここで、挟持部１２は、操作者の把持力のみで閉動作するので、接続用スリーブ８２は、電線８４ａ、８５ｂが接続用スリーブ８２から抜けない程度で本圧縮とまではいかない程度に圧縮、すなわち仮圧縮されることとなる。また、挟持部１２の上述した構成により、種々の直径の接続用スリーブ８２に対応することができ、且つ小突起２４が接続用スリーブ８２の円形断面に対して略直角に作用する。したがって、簡単な構成で種々の直径の接続用スリーブ８２を適切に仮圧縮することができる。
【００３５】
図３は、本実施の形態の間接活線工法用仮圧縮工具１０を用いて接続用スリーブ８２を仮圧縮している様子を示した説明図である。一人の作業者が間接活線工法用仮圧縮工具１０を操作して接続用スリーブ８２を仮圧縮する作業を行う。他の作業者（補助者）はヤットコ８０で接続用スリーブ８２に挿入した電線８４ａ、８４ｂを支持する作業を行う。
【００３６】
他の作業者が、ヤットコ８０で電線８４ａ、８４ｂを支持した状態で、間接活線工法用仮圧縮工具１０を持った操作者は、接続用スリーブ８２を挟持部１２の固定片２２の第２直線部２２ｂ−２と第３直線部２２ｂ−３の折れ曲がり部分Ｃに係止させ、把持操作部２８の操作レバー２８ａを握ることで仮圧縮が行われる。
【００３７】
仮圧縮は、接続用スリーブ８２の一部のみを圧縮し、電線８４、８４ｂが接続用スリーブ８２から抜け出さないようにすることが目的であり、本圧縮作業で要するような強い力は必要としない。また、仮圧縮作業中は、接続用スリーブ８２に下方への引っ張り力等は印加されないので、電線８４ａ、８４ｂをヤットコ８０で支持している他の作業者への負担は少ない。仮圧縮を施した接続用スリーブ８２は、次に本圧縮作業に入る。本圧縮作業中、電線８４、ａ、８４ｂが接続用スリーブ８２から抜け出ることがないので、電線８４ａ、８４ｂを支持する作業者への負担は仮圧縮をしない従来に比して軽くて進み、本圧縮作業を円滑に進めることができる。すなわち、従来のように、特別の注意や慎重さを払うことなく本圧縮作業を行うことができる。特に、再び電線８４ａ、８４ｂを接続用スリーブ８２に挿入する作業はなくなる。したがって、接続用スリーブ８２を用いた電線接続作業を簡易且つ迅速に行うことが可能である。
【００３８】
本実施の形態の間接活線工法用仮圧縮工具１０によれば、把持部１２に設けられた小突起２４により、接続用スリーブ８２を簡単な作業によって仮圧縮することができる。仮圧縮は、電線８４ａ、８４ｂや接続用スリーブ８２の直径、又は接続用スリーブ８２の材質等に応じて操作者が把持力を調整することにより、適切に行うことができる。したがって、仮圧縮が適切に行われるので、電線の接続用スリーブからの抜け出しを防止しつつ行われる本圧縮作業における圧縮作業の簡易且つ容易化が図られ、電線接続作業の迅速化と安全化が図られる。
【００３９】
なお、本発明は、上述の実施の形態に限定されるものではなく、本発明の趣旨を逸脱しない範囲で種々の変更が可能である。例えば、挟持部１２は、固定片２２と可動片２０とがあり、固定片２２は第１直線部２２ｂ−１と第２直線部２２ｂ−１と第３直線部２２ｂ−３とを有し、可動片２０は略三日月状のものを例示したが、この形状に拘らない。例えば、ヤットコ８０の挟持部８０ａのように平面状部材と平面状部材とが接続用スリーブ８２を挟む構成であっても良い。
【符号の説明】
【００４０】
１０  間接活線工法用仮圧縮工具
１２  挟持部
１４  絶縁操作棒
１６  雨切
１８  鍔
２０  可動片（開閉片）
２２  固定片（開閉片）
２２ａ  基部
２２ｂ−１  第１直線部
２２ｂ−２  第２直線部
２２ｂ−３  第３直線部
２４  小突起
２５  基部
２６  補助絶縁操作棒
２８  把持操作部
２８ａ  操作レバー
４０  圧縮装置
４２  絶縁操作棒
４４  圧縮ペンチ
５２  受け部
５４  圧縮部
８２  接続用スリーブ
８４ａ、８４ｂ  電線
【図１】
0005808588.tif 000002
【図２】
0005808588.tif 000003
【図３】
0005808588.tif 000004
【図４】
0005808588.tif 000005